(57)【要約】【課題】１人で持ち運びできる程度に小型であり、故人の遺骨の全てを納めることが可能であり、且つ遺品や故人に関する情報も一体的に収めることができる仏具を提供する。【解決手段】故人の骨を納める納骨容器が出し入れ可能に嵌め込み収納される納骨室を有する納骨部２と、納骨部２の上面部２２に設けられて外側面６９に故人に関する情報を表示する表示部３２と物品を出し入れ可能に収容する収納室とを有する柱形状の柱状部３とを備える仏具１。【選択図】図１
2011083491.tif 000002
【特許請求の範囲】
【請求項１】
故人の骨を納める納骨容器が出し入れ可能に嵌め込み収納される納骨室を有する納骨部と、
前記納骨部の上面部に設けられ、外側面に前記故人に関する情報を表示する表示部と、物品を出し入れ可能に収容する収納室とを有する柱形状の柱状部と、を備える仏具。
【請求項２】
前記納骨部は、前記上面部の外表面に係合部を有し、
前記柱状部は、下端部に前記係合部に係合させる被係合部を有する請求項１に記載の仏具。
【請求項３】
前記納骨部は、開口を有する前記納骨室を形成する納骨部本体と、前記納骨部本体の該開口を塞ぐ納骨部蓋体とによって構成され、
前記納骨部本体が、前記納骨室の該開口を形成する納骨部開口部の端縁に沿って形成される納骨部開口ガイド部を有し、
前記納骨部蓋体が、前記納骨部開口ガイド部に嵌合されて前記端縁に沿ったスライドを案内される納骨部蓋体被ガイド部を有する請求項１又は２に記載の仏具。
【請求項４】
請求項３に記載の仏具であって、
前記納骨容器を出し入れ可能に前記納骨室を開口させる前記納骨部蓋体のスライドを妨げるように配置されて該仏具を固定支持する支持体に該仏具を固定する固定部を有し、
前記納骨部蓋体がスライドを案内されて前記納骨室の該開口を塞ぐ状態となったときに、前記納骨部蓋体と前記納骨部本体とを接触させて案内されている該納骨部蓋体の該スライドを停止させる機構を備える仏具。
【請求項５】
前記柱状部は、開口を有する前記収納室を形成する柱状部本体と、前記柱状部本体の該開口を塞ぐ柱状部蓋体とによって構成され、
前記柱状部本体が、前記収納室の該開口を形成する柱状部開口部の端縁に沿って形成される柱状部開口ガイド部を有し、
前記柱状部蓋体が、前記柱状部開口ガイド部に嵌合されて前記端縁に沿ったスライドを案内される柱状部蓋体被ガイド部を有する請求項１又は２に記載の仏具。
【請求項６】
前記納骨部は、開口を有する前記納骨室を形成する納骨部本体と、前記納骨部本体の該開口を塞ぐ納骨部蓋体とによって構成され、
前記納骨部本体が、前記納骨室の該開口を形成する納骨部開口部の端縁に沿って形成される納骨部開口ガイド部を有し、
前記納骨部蓋体が、前記納骨部開口ガイド部に嵌合されて前記端縁に沿ったスライドを案内される納骨部蓋体被ガイド部を有する請求項５に記載の仏具。
【請求項７】
請求項５又は６に記載の仏具であって、
前記物品の出し入れ可能に前記収納部を開口させる前記柱状部蓋体のスライドを妨げるように配置されて該仏具を固定支持する支持体に該仏具を固定する固定部を有し、
前記柱状部蓋体がスライドを案内されて前記収納室の該開口を塞ぐ状態となったときに、前記柱状部蓋体と前記柱状部本体とを接触させて案内されている該柱状部蓋体の該スライドを停止させる機構を備える仏具。
【請求項８】
請求項６に記載の仏具であって、
前記納骨容器の出し入れ可能に前記納骨容器を開口させる前記納骨部蓋体のスライド及び前記物品の出し入れ可能に前記収納室を開口させる前記柱状部蓋体のスライドを妨げるように配置されて該仏具を固定支持する支持体に該仏具を固定する固定部を有し、
前記納骨部蓋体がスライドを案内されて前記納骨室の該開口を塞ぐ状態となったときに、前記納骨部蓋体と前記納骨部本体とを接触させて案内されている該納骨部蓋体の該スライドを停止させる機構と、
前記柱状部蓋体がスライドを案内されて前記収納室の該開口を塞ぐ状態となったときに、前記柱状部蓋体と前記柱状部本体とを接触させて案内されている該柱状部蓋体の該スライドを停止させる機構と、を備える仏具。
【発明の詳細な説明】
【技術分野】
【０００１】
本発明は、位牌と納骨具とを兼ね備えることが可能な仏具に関する。
【背景技術】
【０００２】
核家族化の進展と構成員数の減少に加えて、家族や親族が遠く離れて暮らすことの多い現代社会において、故人の葬られた墓をその遺族や親族が管理・継承することが難しくなってきている。また、都市部では、墓地の用地を利用する際も高額であるという経済的な問題に加え、また十分な用地面積の確保が困難であるゆえに、墓石を屋外に設置することが難しくなってきているという背景がある。
【０００３】
特許文献１、２には、遺骨の一部や遺品を収納する台座の上に戒名を表示する位牌を設けた小型の位牌墓碑が開示されている。これらの位牌墓碑は、持ち運びが可能であり、屋内に多数配置できるため、上記の墓に関する社会的問題を解決する手段として期待されている。
【先行技術文献】
【特許文献】
【０００４】
【特許文献１】特開平１１−２７６３３８号公報
【特許文献２】特開２００３−４７５５５号広報
【発明の概要】
【発明が解決しようとする課題】
【０００５】
しかしながら、特許文献１、２に記載の位牌墓碑でも、故人の遺骨や遺品の全てを収納することはできない。
【０００６】
上記の問題に鑑みて、本発明の課題は、１人で持ち運びできる程度に小型であり、故人の遺骨の全てを納めることが可能であって、且つ遺品や故人に関する情報も一体的に収めることができる仏具を提供することにある。
【課題を解決するための手段】
【０００７】
上記課題を解決するため、本発明者は、鋭意検討し、本発明を完成するに至った。すなわち、本発明によれば、以下に示す仏具が提供される。
【０００８】
［１］  故人の骨を納める納骨容器が出し入れ可能に嵌め込み収納される納骨室を有する納骨部と、前記納骨部の上面部に設けられ、外側面に前記故人に関する情報を表示する表示部と、物品を出し入れ可能に収容する収納室とを有する柱形状の柱状部と、を備える仏具。
【０００９】
［２］  前記納骨部は、前記上面部の外表面に係合部を有し、前記柱状部は、下端部に前記係合部に係合させる被係合部を有する前記［１］に記載の仏具。
【００１０】
［３］  前記納骨部は、開口を有する前記納骨室を形成する納骨部本体と、前記納骨部本体の該開口を塞ぐ納骨部蓋体とによって構成され、前記納骨部本体が、前記納骨室の該開口を形成する納骨部開口部の端縁に沿って形成される納骨部開口ガイド部を有し、前記納骨部蓋体が、前記納骨部開口ガイド部に嵌合されて前記端縁に沿ったスライドを案内される納骨部蓋体被ガイド部を有する前記［１］又は［２］に記載の仏具。
【００１１】
［４］  前記［３］に記載の仏具であって、前記納骨容器を出し入れ可能に前記納骨室を開口させる前記納骨部蓋体のスライドを妨げるように配置されて該仏具を固定支持する支持体に該仏具を固定する固定部を有し、前記納骨部蓋体がスライドを案内されて前記納骨室の該開口を塞ぐ状態となったときに、前記納骨部蓋体と前記納骨部本体とを接触させて案内されている該納骨部蓋体の該スライドを停止させる機構を備える仏具。
【００１２】
［５］  前記柱状部は、開口を有する前記収納室を形成する柱状部本体と、前記柱状部本体の該開口を塞ぐ柱状部蓋体とによって構成され、前記柱状部本体が、前記収納室の該開口を形成する柱状部開口部の端縁に沿って形成される柱状部開口ガイド部を有し、前記柱状部蓋体が、前記柱状部開口ガイド部に嵌合されて前記端縁に沿ったスライドを案内される柱状部蓋体被ガイド部を有する前記［１］又は［２］に記載の仏具。
【００１３】
［６］  前記納骨部は、開口を有する前記納骨室を形成する納骨部本体と、前記納骨部本体の該開口を塞ぐ納骨部蓋体とによって構成され、前記納骨部本体が、前記納骨室の該開口を形成する納骨部開口部の端縁に沿って形成される納骨部開口ガイド部を有し、前記納骨部蓋体が、前記納骨部開口ガイド部に嵌合されて前記端縁に沿ったスライドを案内される納骨部蓋体被ガイド部を有する前記［５］に記載の仏具。
【００１４】
［７］  前記［５］又は［６］に記載の仏具であって、前記物品の出し入れ可能に前記収納部を開口させる前記柱状部蓋体のスライドを妨げるように配置されて該仏具を固定支持する支持体に該仏具を固定する固定部を有し、前記柱状部蓋体がスライドを案内されて前記収納室の該開口を塞ぐ状態となったときに、前記柱状部蓋体と前記柱状部本体とを接触させて案内されている該柱状部蓋体の該スライドを停止させる機構を備える仏具。
【００１５】
［８］  前記［６］に記載の仏具であって、前記納骨容器の出し入れ可能に前記納骨容器を開口させる前記納骨部蓋体のスライド及び前記物品の出し入れ可能に前記収納室を開口させる前記柱状部蓋体のスライドを妨げるように配置されて該仏具を固定支持する支持体に該仏具を固定する固定部を有し、前記納骨部蓋体がスライドを案内されて前記納骨室の該開口を塞ぐ状態となったときに、前記納骨部蓋体と前記納骨部本体とを接触させて案内されている該納骨部蓋体の該スライドを停止させる機構と、前記柱状部蓋体がスライドを案内されて前記収納室の該開口を塞ぐ状態となったときに、前記柱状部蓋体と前記柱状部本体とを接触させて案内されている該柱状部蓋体の該スライドを停止させる機構と、を備える仏具。
【発明の効果】
【００１６】
本発明の仏具は、１人で持ち運びできる程度に小型であり、故人の遺骨の全てを納めることが可能であって、且つ遺品や故人に関する情報も一体的に収めることができる。
【図面の簡単な説明】
【００１７】
【図１】本発明の一実施形態の仏具の正面図である。
【図２】図１に示す実施形態の仏具の側面図であり、固定部によって支持体に固定支持された形態の説明図である。
【図３】図１に示す仏具の分解斜視図である。
【図４】図１に示す仏具における納骨部の分解斜視図である。
【図５】図１中のＡ−Ａ’断面における納骨部の上面部近傍の断面図である。
【図６】図２中のＢ−Ｂ’断面における納骨部の上面部近傍の断面図である。
【図７】図１に示す仏具における柱状部の上端部近傍の分解斜視図である。
【図８】本発明の仏具における２つの納骨容器を有する納骨部の実施形態の分解斜視図である。
【発明を実施するための形態】
【００１８】
以下、図面を参照しつつ本発明の実施の形態について説明する。本発明は、以下の実施形態に限定されるものではなく、本発明の範囲を逸脱しない限りにおいて、変更、修正、改良を加え得るものである。
【００１９】
１．本発明の仏具の概要：
図１は、本発明の技術的範囲に属する仏具１（以下、「本発明の仏具」）の正面図であり、図２は、図１に示す実施形態の仏具１の側面図である。本発明の仏具１は、持ち運びできる大きさであり、故人の骨を収容する納骨部２と、戒名などの個人に関する情報を表示すると共に遺品などを収容する柱状部３とを備える。そのため、本発明の仏具は、遺骨、遺品、及び戒名などの情報を一体的に保管できる。
【００２０】
図３は、図１に示す仏具１の分解斜視図である。本発明の仏具１では、納骨部２の上面部２２の外表面に係合部１１を設け、柱状部３の下端部３６に係合部１１に係合させる被係合部１２を設けてもよい。図３に示す実施形態の仏具１では、係合部１１が上面部２２の外表面に凹形状に形成され、この凹形状に嵌合される柱状部３の下端部３６を被係合部１２とする。
【００２１】
２．納骨部：
図４は、図１に示す納骨部２の分解斜視図を表す。本発明の仏具１において、納骨部２は、故人の骨を納める納骨容器４１が出し入れ可能に嵌め込み収納される納骨室３０を有する。
【００２２】
また、納骨部２は、納骨室３０の開口部分と反対側の部分に、外部から納骨室３０内に指などを挿入できる穴部４６が設けられていると好ましい。この穴部４６によって、納骨室３０内に嵌め込み収納された納骨容器４１の取り出しが容易になる。
【００２３】
図８は、２つの納骨容器４１ａ、４１ｂが納骨室３０に収納される納骨部２の実施形態についての分解斜視図である。この図に示す実施形態の納骨部２では、生前の段階もしくはご夫婦のいずれか一人が故人となった後に、１個の仏具１を夫婦で利用する希望に応えることができ、２つの納骨容器４１ａ、４１ｂに分けることにより、夫婦各々の遺骨を別々に管理することも可能である。
【００２４】
また、図８に示す実施形態の納骨部２では、２つの納骨容器４１ａ、４１ｂそれぞれの納骨室３０からの出し入れを容易にするため、２つの穴部４６ａ、４６ｂが設けられている。
【００２５】
１個の納骨容器４１は、成人一体全ての遺骨が粉砕された状態で収容可能な容量（約１５００〜２０００ｃｃ）を備えると好ましい。地方の風習によって墓に納められる遺骨の量が異なる事態にも対応できるためである。なお、図４に示すように、納骨容器４１は、遺骨を収容する空間が設けられた収容部４２と、これを閉蓋する蓋部４３とから構成されてもよい。
【００２６】
納骨部２は、開口を有する納骨室３０を形成する納骨部本体２１と、納骨部蓋体２９とによって構成される実施形態にしてもよい。図４に示す実施形態の納骨部２では、納骨部本体２１が、納骨部２の下面部５１と側面部５２を構成して上方Ｚ１に開口する納骨室３０を形成し、納骨部蓋体２９が、開口する納骨室３０に蓋をするための、納骨部２の上面部２２を構成する。また、納骨部２は、設置時において、上下方向の長さよりも水平方向の長さの方が長いと転倒などなく安定的に静置できる。
【００２７】
納骨部２が納骨部本体２１と納骨部蓋体２９とから構成される実施形態の場合、納骨部本体２１において納骨室３０の開口を形成する納骨部開口部２５の端縁２４に沿って納骨部開口ガイド部２６が設けられ、納骨部蓋体２９において納骨部開口ガイド部２６に嵌合されて端縁２４に沿ったスライドを案内される納骨部蓋体被ガイド部２８が設けられていると好ましい。
【００２８】
この実施形態の納骨部２では、納骨部蓋体２９の動きが納骨部開口部２５の端縁２４に沿ったスライド運動に制限され、納骨部２が転倒したときにも納骨部蓋体２９が外れて遺骨を散乱させる事故を防止できる。
【００２９】
図５は、図１中のＡ−Ａ’断面における納骨部２の上面部２２近傍の断面図であり、図６は、図２中のＢ−Ｂ’断面における上面部２２近傍の断面図である。図５に示す断面と図６に示す断面は垂直に交差する関係にある。これら図に示す実施形態の納骨部２では、納骨部開口部２５において、正面からみて左右両側の納骨室３０内壁面側の端縁２４に沿って凹条が設けられ、これら凹条を納骨部開口ガイド部２６としている。また、納骨部開口部２５の端縁２４は、背面側Ｘ２が切り欠かれ、この切り欠き部分から凹条が背面側Ｘ２に向かって開口し、納骨部蓋体被ガイド部２８を受け入れられるようになっている。この凹条に嵌合するように、凸条が納骨部蓋体２９の左右両側の側縁５６に設けられ、納骨部蓋体被ガイド部２８となっている。図５、６に示す凹条と凸条とが嵌合された状態では、納骨部蓋体２９が正面−背面方向（図５中のＸ１−Ｘ２方向）のスライド運動のみ可能であり、上下方向（図５、６中のＺ１−Ｚ２方向）に納骨部蓋体２９がめくれることはない。
【００３０】
３．柱状部：
図１を参照し述べると、柱状部３は、納骨部２の上面部２２上に設けられる。図７は、図１に示す柱状部３の上端部３５近傍の分解斜視図を表す。柱状部３は、外側面６９に戒名などの故人に関する情報を表示する表示部３２と、遺品や書類などの物品を出し入れ可能に収容する収納室４０とを有する。
【００３１】
柱状部３は、開口を有する収納室４０を形成する柱状部本体３１と、柱状部蓋体３７とによって構成される実施形態にしてもよい。図７に示す実施形態の柱上部３では、柱状部本体３１が柱状部２の下端部３６と側部６８を構成して上方Ｚ１に開口する収納室４０を形成し、柱状部蓋体３７が、開口する収納室４０に蓋をするための、柱状部３の上端部３５を構成する。
【００３２】
また、図７に示す実施形態の柱状部３では、表示部３２が、柱状部本体３１から分離できる札になっている。そして、柱状部本体３１の正面側Ｘ１の外側面６９には、この外表面６９に沿う方向にて対向する２本の案内溝３４が設けられ、この案内溝３４に表示部３２の札の両側縁３３を嵌め合わせて表示部３２を外表面６９に沿ってスライドさせることにより、表示部３２の札を柱状部本体３１に装着する。
【００３３】
柱状部３が柱状部本体３１と柱状部蓋体３７とから構成される実施形態の場合、柱状部本体３１において収納室４０の開口を形成する柱状部開口部６２の端縁６４に沿って柱状部開口ガイド部３９が設けられ、柱状部蓋体３７において柱状部開口ガイド部３９に嵌合されて端縁６４に沿ったスライドを案内される柱状部蓋体被ガイド部３８が設けられていると好ましい。この実施形態により、柱状部３の転倒時に、柱状部蓋体３７が柱状部本体３１から外れて遺品や書類など物品が収納室４０から散乱することを防止できる。
【００３４】
図７に示す実施形態の柱状部３では、図４〜６に示す実施形態の納骨部２と同様に、柱状部本体３１の柱状部開口部６２において、収納室４０内壁面側の端縁６４に沿って凹条の柱状部開口ガイド部３９が設けられ、この凹条に嵌合される凸条の柱状部蓋体被ガイド部３８が柱状部蓋体３７の両側の側縁６７に沿って設けられている。
【００３５】
４．固定部：
図２を参照し述べると、本発明の仏具１は、支持体７１に固定保持するための固定部７９、８０を有する、以下の実施形態を備えると好ましい。
【００３６】
本発明の仏具１において固定部を有するときの第１の実施形態では、仏具１が、固定部７９、８０によって支持体７１に固定支持され、この支持体７１が、納骨容器４１を出し入れ可能に納骨室３０を開口させる納骨部蓋体２９のスライドを妨げるように配置されている。さらに、この第１の実施形態の仏具１では、納骨部蓋体２９がスライドを案内されて納骨室３０の開口を塞ぐ状態となったとき、納骨部蓋体２９と納骨部本体２１とを接触させて案内されている納骨部蓋体２９のスライドを停止させる機構を備える。
【００３７】
図４の分解斜視図と図５の断面図に表す実施形態の納骨部２では、凹条の納骨部開口ガイド部２６の背面側Ｘ２の端部５４は、凸条の納骨部蓋部被ガイド部２８を導入できるように開放され、これとは反対の正面側Ｘ１の端部５７は閉じられている。そのため、背面側Ｘ２から正面側Ｘ１に向かって納骨部蓋体２９がスライドして納骨部蓋体２９が納骨室３０を塞いだとき、ちょうど納骨部蓋体２９の凸条の先端部が凹条の正面側Ｘ１の端部５７に接触して行き当たり、背面側Ｘ２から正面側Ｘ１への納骨部蓋体２９のスライドが制止される。この納骨部蓋体２９のスライドを停止させる機構によって、図４、５の実施形態では、納骨部蓋体２９が納骨室３０を塞いだ状態から納骨室３０を開口させるための納骨部蓋体２９のスライドの方向は、正面側Ｘ１から背面側Ｘ２への方向に限定される。
【００３８】
また、図４、５に表す実施形態の納骨部２では、図２に示すように仏具１の背面と支持体７１とを近接させて仏具１を支持体７１に固定した場合、納骨部蓋体２９の背面側Ｘ２へのスライドの延長上には支持体７１があるため納骨室３０を開口させるための納骨部蓋体２９のスライドを阻まれ、支持体７１によって妨げられるのを回避するために納骨室３０を塞いだ状態から納骨部蓋体２９を正面側Ｘ１にスライドさせて納骨室３０を開口させることも、上記のスライドを停止させる機構のためにできない。したがって、この実施形態の仏具１では、固定部７９、８０によって仏具１を支持体７１に固定保持させたとき、納骨室３０の十分な開口ができないため、納骨室３０内にある納骨容器４１や納骨容器４１内の遺骨の盗難を防止できる。
【００３９】
なお、図２に示す実施形態の仏具１では、納骨部２の背面に設けられた固定部８０及び柱状部３の背面に設けられた固定部７９によって仏具１の背面側に配置された支持体７１に固定され、仏具１が固定保持される。そのため、地震などによっても仏具１が転倒せず、多数の仏具１を室内に配置するときにも管理しやすい。
【００４０】
本発明の仏具１において固定部を有するときの第２の実施形態では、仏具１が、固定部７９、８０によって支持体７１に固定支持され、この支持体７１が、物品を出し入れ可能に収納室４０を開口させる柱状部蓋体３７のスライドを妨げるように配置されている。さらに、この第２の実施形態の仏具１では、柱状部蓋体３７がスライドを案内されて収納室４０の開口を塞ぐ状態となったときに、柱状部蓋体３７と柱状部本体３１とを接触させて案内されている柱状部蓋体３７のスライドを停止させる機構を備える。
【００４１】
図７の分解斜視図に表す実施形態の柱状部３は、先に述べた図４、５に表す実施形態の納骨部２と同様な構造を備えることにより、上記の形態を具備する。
【００４２】
また、本発明の仏具１において固定部を有するときの第３の実施形態は、上記第１の実施形態の特徴と上記第２の実施形態の特徴とを兼ね備えるものである。
【００４３】
なお、図２に示す実施形態の仏具１では、固定部７９と固定部８０の両方を設けなければ、上記第３の実施形態の構成を備えることができない。なぜなら、図２に示す実施形態の仏具１では、固定部８０のみによって支持体７１に固定した場合には、柱状部３を納骨部２から外すことにより収納室４０を開口させることができ、固定部７９のみによって支持体７１に固定した場合には、納骨部本体２１を正面側Ｘ１に引き出すことにより納骨部蓋体２９が納骨部本体２１に対して相対的にスライドし、納骨室３０を開口させることができるためである。
【００４４】
このように、本発明の仏具において、固定部を有する実施形態では、固定部によって仏具が支持体に固定される状態にあるとき、仏具の転倒を防止できると共に、納骨室や収納室の開口が妨げられるため、仏具に収められた遺骨や遺品の盗難を防止できる。
【産業上の利用可能性】
【００４５】
本発明は、位牌と納骨具とを兼ね備えることが可能な仏具として利用できる。
【符号の説明】
【００４６】
１：仏具、２：納骨部、３：柱状部、１１：係合部、１２：被係合部、２１：納骨部本体、２２：上面部、２４：端縁、２５：納骨部開口部、２６：納骨部開口ガイド部、２８：納骨部蓋体被ガイド部、２９：納骨部蓋体、３０：納骨室、３１：柱状部本体、３２：表示部、３３：側縁、３４：案内溝、３５：上端部、３６：下端部、３７：柱状部蓋体、３８：柱状部蓋体被ガイド部、３９：柱状部開口ガイド部、４０：収納室、４１：納骨容器、４１ａ：納骨容器、４１ｂ：納骨容器、４２：収容部、４３：蓋部、４６：穴部、４６ａ：穴部、４６ｂ：穴部、５１：下面部、５２：側面部、５３：穴部、５４：端部、５５：納骨部本体係止部、５６：側縁、５７：端部、６２：柱状部開口部、６４：端縁、６５：先端部、６７：側縁、６８：側部、６９：外側面、７０：被係合部、７１：支持体、７９：固定部、８０：固定部。
【図１】
2011083491.tif 000003
【図２】
2011083491.tif 000004
【図３】
2011083491.tif 000005
【図４】
2011083491.tif 000006
【図５】
2011083491.tif 000007
【図６】
2011083491.tif 000008
【図７】
2011083491.tif 000009
【図８】
2011083491.tif 000010